(57)【要約】【課題】重い調理物を焼網の上の奥側に片寄せて載せた状態でも、焼網がドアから外れなく、調理物を安定姿勢に保つことができるオーブントースターを提供する。【解決手段】加熱室３内の左右側壁に設けられ前後に変位可能に支持される支持棒９と、ドア２の内面下方に突設された突片２０と、枠部７ａのドア２側が切り込み穴２１ａ、２１ｂに引っ掛けられ、奥側部分が支持棒９に支持され、ドア２の開閉に連動して前後に移動する焼網７とを備え、切り込み孔２１ａ、２１ｂは横向き略Ｔ字形状に形成され、焼網７の枠部７ａのドア側部分が出し入れされる挿抜口２２ａ、２２ｂと、上向きに凹む第１フック部２３および下向きに凹む第２フック部２４と、を有し、きり込み孔２１ａ、２１ｂの挿抜口２２ａ、２２ｂが、第１、第２のフック部２３、２４方向に対して互いにズレている。【選択図】　　　　図２
2004053099.tif 000002
【特許請求の範囲】
【請求項１】
加熱室の前部開口部を開閉するドアと、前記加熱室内の左右側壁に設けられ前記加熱室の前後に変位可能に支持される支持棒と、前記ドアの内面下方の左右両端に突設され、切り込み穴を有する突片と、前記支持棒を前記加熱室の奥側に付勢する付勢手段と、枠部のドア側部分が前記突片の前記切り込み穴に引っ掛けられ、奥側部分が前記支持棒に支持され、ドアの開閉に連動して前後に移動する焼網と、を備え、前記切り込み孔は、前記突片を上下方向に沿うようにした状態で横向き略Ｔ字形状に形成され、水平方向に形成され前記焼網の枠部の前記ドア側部分が出し入れされる挿抜口と、この挿抜口の奥側において上向きに凹む第１フック部および下向きに凹む第２フック部と、を有するオーブントースターにおいて、
前記左右の突片のきり込み孔の前記挿抜口が、前記第１、第２のフック部方向に対して互いにズレていることを特徴とするオーブントースター。
【請求項２】
きり込み孔の挿抜口のズレの大きさは焼網の枠部のドア側部分の略外径以上であることを特徴とする請求項１記載のオーブントースター。
【発明の詳細な説明】
【０００１】
【発明の属する技術分野】
調理物を載せる焼網を、前倒し式のドアの開閉に連動して加熱室内外に出し入れするオーブントースターに関する。
【０００２】
【従来の技術】
従来のこの種のオーブントースターとして、例えば、特許番号第２８３１７８１号（従来例１）に示すようなものがある。このオーブントースターでは、ドア開閉に連動して焼網をケース内外に出し入れ可能とするとともにドアの開き角度を規制するために、ケース内の加熱室を形成する左右反射板に部分円弧形のカム状長孔を設けるとともに、この両カム状長孔間に対して直線形の支持棒をカム状長孔の長手方向に移動可能となるように架け渡し、この支持棒に焼網の奥側部分を引掛けるとともにドア内面における左右両端に設けられる２つの突片に対して焼網のドア側部分を引掛けるようにしている。
【０００３】
そしてケースの左右壁面と加熱室を形成する左右反射板との間に、前記支持棒を加熱室奥側に引き込む方向に弾発付勢するコイルバネを設けており、このコイルバネの圧縮復元力によって支持棒を加熱室奥側に引き込んでいる。
なお、焼網はドアの突片と支持棒とに対しそれぞれ引掛けられていて、取外し可能とされている。
そして、前記突片は、ドアを前倒ししたときに上下方向に沿う姿勢にされているもので、焼網が取り外し可能に引掛けられる切り込み孔が形成されている。前記切り込み孔は、前記突片を上下方向に沿う姿勢にした状態において横向き略Ｔ字形状形成されており、水平方向に沿って形成されて焼網の先端が出し入れされる直線状の挿抜口と、この挿抜口の奥側において上向きに凹む第１フック部および下向きに凹む第２フック部とを有している。
【０００４】
なお、挿抜口は、焼網を着脱しやすくするために、焼網を構成する線材の直径よりも若干大きな幅に設定されている。
第１フック部は、焼網上に調理物を載せていないかもしくは軽い調理物を載せている状態においてドアを開閉するときに焼網が簡簡単に外れないようにするための引っ掛かりである。
第２フック部は、焼網上に重い調理物を載せている状態においてドアを開閉するときに焼網が簡単に外れないようにするための引っ掛かりである。
【０００５】
また、特開２０００１−３５５８６０号公報（従来例２）に示されたものは、全体構成が従来例とほぼ同じであるが、焼網が引掛けられる切り込み孔の形状が異なり、従来例１の第１、第２フック部以外に、第１フック部に連なってドア側へ向けて切り込み形成された第３フック部を備え、焼網の奥側に重い調理物をかたよせて載せた状態においてドアを開閉するときに支持棒の延出部分が引っ掛けられるものである。
【０００６】
【発明が解決しようとする課題】
しかしながら、上記従来例１では重い調理物を焼網上の奥側に片寄せて載せた状態でドアを閉めるときに、焼網がドアの突片の切り込み孔から外れる場合があった。また、上記従来例２は、従来例１を改良したものであり、焼網の奥側に重い調理物をかたよせて載せても、従来例１よりは、切り込み孔から外れることが少ないものの、場合によっては焼網が外れるという問題があった。
【０００７】
この発明は上記のような課題を解決するためになされたもので、重い調理物を焼網の上の奥側に片寄せて載せた状態でドアを閉めるときでも、焼網がドアから外れて斜め姿勢に跳ね上ることのないように、焼網上の調理物を安定姿勢に保つことができるオーブントースターを提供することを目的とする。
【０００８】
【課題を解決するための手段】
この発明のオーブントースターは、加熱室の前部開口部を開閉するドアと、前記加熱室内の左右側壁に設けられ前記加熱室の前後に変位可能に支持される支持棒と、前記ドアの内面下方の左右両端に突設され、切り込み穴を有する突片と、前記支持棒を前記加熱室の奥側に付勢する付勢手段と、枠部のドア側部分が前記突片の前記切り込み穴に引っ掛けられ、奥側部分が前記支持棒に支持され、ドアの開閉に連動して前後に移動する焼網と、を備え、前記切り込み孔は、前記突片を上下方向に沿うようにした状態で横向き略Ｔ字形状に形成され、水平方向に形成され前記焼網の枠部の前記ドア側部分が出し入れされる挿抜口と、この挿抜口の奥側において上向きに凹む第１フック部および下向きに凹む第２フック部と、を有するオーブントースターにおいて、前記左右の突片のきり込み孔の前記挿抜口が、前記第１、第２のフック部方向に対して互いにズレているものである。
【０００９】
また、きり込み孔の挿抜口のズレの大きさは焼網の枠部のドア側部分の略外径以上であるものである。
【００１０】
【発明の実施の形態】
図１はオーブントースターのドアを開いた状態を示す斜視図、図２は図１において調理物を載せていないときの側面透視図、図３は図２の状態からドアを閉めたときを示す側面透視図、図４は図２において焼網の中央に重い調理物を載せた状態を示す側面透視図、図５は図４の状態からドアを閉め始めたときの状態を示す側面透視図、図６は図５の状態からドアを閉めたときの状態を示す側面透視図、図７は図２において焼網の奥に重い調理物を片寄せて載せたときの状態を示す側面透視図、図８は図７の状態からドアを閉め始めたときの状態を示す側面透視図、図９は図８の状態からドアを閉めたときの状態を示す側面透視図、図中Ａはオーブントースターの全体を示している。
【００１１】
このオーブントースターＡのケース１の前面には、ドア２の底辺がケース１に対しヒンジ結合されており、ドア２が前倒し状態で開閉可能に取り付けられている。またケース１内の加熱室３はケース１の左右壁に対して所要間隔を介して設置される左右反射板４とケース１の奥壁から天井壁に対して所要間隔を介して設置される奥反射板５とにより形成されている。これらの反射板４、５により囲まれる空間の上下位置には、棒状のヒーター６が設置されている。
【００１２】
この発明のオーブントースターでは、ドア２の開閉に連動して調理物が載せられる焼網７をほぼ水平状態で出し入れ可能とするとともに、ドア２の開き角度を約９０度に規制して垂れ下がらないようにしている。そのため加熱室３の左右反射板４に設けられる部分円弧形状のカム状長孔８に対して直線形状の支持棒９を架け渡し、この支持棒９とドア２の内面下方の左右に突設される突片２０ａ、２０ｂとに対して焼網７をそれぞれ引掛けるようにしている。そして支持棒９においてカム状長孔８の外側へ突出した部分には、ケース１の左右側壁と左右反射板４との間の隙間に配設されるコイルバネ１０の一端が各々係止されている。
【００１３】
このコイルバネ１０は復元しようとする弾発付勢力によりドア２を閉じて手を離しても、勝手にドア２が開くようなことがなくなる。焼網７は線材からなる枠部７ａと平面部は細かな網局部７ｂとにより構成され、枠部７ａの前後延在毎部分の奥端側には、側面から見てＬ字形の系止め片７ｃが下向きに突出する状態で接合されている。尚Ｂは調理物を示している。
この実施形態では、ドアと支持棒９とを焼網７で連結させる形態において、焼網７の奥（支持棒９より後ろ側）に比較的重い調理物を片寄せて載せた状態でドア２を閉めるときに、焼網７がドア２側から外れて焼網７の前側が上向きに跳ねあがってしまわないようにしている。
【００１４】
具体的には、ドア２の内面下方の左右両端には、突片２０ａ、２０ｂが設けられている。この突片２０ａ、２０ｂは支点２ａを中心にしてドア２を前倒ししたときに上下方向に沿う姿勢となるよにドア２の内面に対してほぼ垂直突設されている。この突片２０ａ、２０ｂには焼網７の枠部７ａにおけるドア側両角部を着脱自在に引掛けるために、横向き略Ｔ字形状の切り込み孔２１ａ、２０ｂが各々設けられている。またドア２を前倒しすることにより突片２０ａ、２０ｂをほぼ上下方向に沿う姿勢にした状態において、ほぼ水平方向に沿って形成され焼網７の枠部７ａにおけるドア側部分が出し入れされる切り込み孔２１ａ、２０ｂの各々の挿抜口２２ａ、２２ｂは、第１のフック部２３、第２のフック部２４方向に対して互いにズレるようにしており、挿抜口２２ａ、２２ｂは、焼網７の枠７ａのドア側部分に対して互いにズレている。
【００１５】
すなわち、例えば、突片２０ａ、２０ｂの先端から第１のフック部２３、第２のフック部２４方向における挿抜口２２ａ、２２ｂの寸法をイ、ロとしたとき、この寸法イ、ロを異なるようにしてる。
また、挿抜口２２ａ、２２ｂのズレの大きさは焼網７の枠部７ａのドア側部分の略外径以上であることがのぞましい（焼網７の枠部７ａのドア側部分の外径寸法をハとしたとき、イ−ロ＞ハ、または、イ−ロ≒ハ）。
【００１６】
また、この挿抜口２２の奥側において下向きに凹む第１のフック部２３ａ、２３ｂと第１フック部２３ａ、２３ｂと連なってドア２側へ向けて切り込み形成された第２のフック部２４ａ、２４ｂを有する形状になっている。
【００１７】
次に、調理物の載せ方の違いによるドア２の開閉動作を説明する。まず図２に示すように調理物を載せていない状態または軽い調理物を載せている状態では、焼網７全体が下に沈み込んでいないため、焼網７の枠部７ａにおけるドア側部分が突片２０ａ、２０ｂの切り込み孔２１ａ、２１ｂの第１フック部２３ａ、２３ｂに引っ掛かっている。この状態でドア２を開くとき、焼網７はコイルバネ１０により加熱室側に常に引っ張られているため、焼網７の枠部７ａのドア側部分と第１のフック部２３ａ、２３ｂとにより確実に係止され簡単に外れない構造となっている。
【００１８】
この状態からユーザーがドア２を閉めようとすると、焼網７がコイルバネ１０の復元力により奥側に引き込まれるとともに、ドア２が引っ張られるので、図３に示すように、閉じる。このとき、焼網７の枠部７ａにおけるドア側部分が切り込み孔２１ａ、２０ｂの第１フック部２３ａ、２３ｂに引っ掛かっていて、第１フック部２３ａ、２３ｂの奥側辺に当接しているから、焼網７の枠部７ａにおけるドア側部分が挿抜口２２ａ、２２ｂへ動かずにすむ。したがって、焼網７が切り込み孔２１ａ、２１ｂら外れることはない。
【００１９】
また図４に示すように、比載的重い調理物Ｂが焼網７の前方または中央にバランス良く載せられた状態では焼網７全体が下に沈み込んでいて、焼網７の、枠部７ａにおけるドア側部分が突片２０ａ、２０ｂの切り込み孔２１ａ、２０ｂの第２のフック部２４ａ、２４ｂに引っ掛かっている。この状態では、調理物Ｂの重みがコイルバネ１０の復元力よりも強いために、焼網７が奥に引き込まれない。この状態からドア２を閉めようとすると、図５に示すように、焼網７の枠部７ａのドア側部分がが矢印方向に押され、焼網７の枠部７ａにおけるドア側部分が第２フック部２４ａ、２４ｂの奥側辺に当接することになり、ドア２を押し上げる力で焼網７の枠部７ａにおけるドア側部分が挿抜口２２へ向けて動かずに、焼網７が奥へ押し込まれるとともに、図６に示すように、ドア２が閉められる。したがって焼網７が切り込み孔２１ａ、２１ｂの挿抜口２２ａ、２２ｂから外れることはない。
【００２０】
さらに図７に示すように、比較的重い調理物Ｂを焼網７の奥に片寄せて載せられて入る状態では支持棒９を中心にして焼網７の奥側が下に沈み込むとともに、手前側が上に浮いていて、焼網７の枠部７ａのドア側部分がが矢印方向に押され、焼網７の枠部７ａのドア側部分は切り込み孔２１ａ、２０ｂの第１フック部２３ａ、２３ｂに引っ掛かっている。
【００２１】
さらに、図８に示すようにドア２を閉めていくと、焼網７の枠部７ａのドア側部分は手前側が上に浮いているため、焼網７の枠部７ａのドア側部がが矢印方向に押され、切りこみ孔２１のドア側に接するように移動するため、突片２０ａ、２０ｂの切り込み孔２１ａ、２１ｂの挿抜口２２ａ、２２ｂから外れやすくなるが、左右の切り込み孔２１ａと２１ｂの位置は枠部７ａのドア側部分の外径以上にズレているため、両側が一度に外れることはない位置関係（イ−ロ＞ハ、または、イ−ロ≒ハ）にあるため、焼網７の枠部７ａのドア側部分は常に突片の切り込み孔２１ａ、２１ｂ内にあり外れることはない。
【００２２】
また、焼網７の枠部７ａのドア側部分を突片２０ａ、２０ｂの切り込み孔２１ａ、２０ｂに取り付けるときは、直線形の支持棒９はカム状長孔８に対し長手方向に移動可能のため焼網７を少し斜めにすることにより片側づつ、取りつけることができる。このように、突片２０ａ、２０ｂの切り込み孔の位置をズラスことにより、重い調理物を焼き網７の奥にバランス悪く載せた状態でドア２を閉めても、ドア２の突片２０ａ、２０ｂから焼網７が外れることがなく、調理物を安定な姿勢のまま加熱室３内に収めることができる。
【００２３】
【発明の効果】
以上のように、この発明によれば、加熱室の前部開口部を開閉するドアと、前記加熱室内の左右側壁に設けられ前記加熱室の前後に変位可能に支持される支持棒と、前記ドアの内面下方の左右両端に突設され、切り込み穴を有する突片と、前記支持棒を前記加熱室の奥側に付勢する付勢手段と、枠部のドア側部分が前記突片の前記切り込み穴に引っ掛けられ、奥側部分が前記支持棒に支持され、ドアの開閉に連動して前後に移動する焼網と、を備え、前記切り込み孔は、前記突片を上下方向に沿うようにした状態で横向き略Ｔ字形状に形成され、水平方向に形成され前記焼網の枠部の前記ドア側部分が出し入れされる挿抜口と、この挿抜口の奥側において上向きに凹む第１フック部および下向きに凹む第２フック部と、を有するオーブントースターにおいて、前記左右の突片のきり込み孔の前記挿抜口が、前記第１、第２のフック部方向に対して互いにズレてるので、重い調理物を焼網の上の奥側に片寄せて載せた状態でドアを閉めるときでも、焼網がドアから外れて斜め姿勢に跳ね上ることのないように、焼網上の調理物を安定姿勢に保つことができる。
【図面の簡単な説明】
【図１】この発明の実施形態を示すオーブントースターのドアを開いた状態を示す斜視図である。
【図２】図１の状態で調理物を載せていないときの状態を示す側面透視図である。
【図３】図２の状態でドアを閉めたときの状態を示す側面透視図である。
【図４】図２において焼網の中央に重い調理物を載せたときの状態を示す側面透視図である。
【図５】図４の状態からドアを閉めたときの状態を示す側面透視図である。
【図６】図５の状態からドアを閉めたときの状態を示す側面透視図である。
【図７】図２において焼網の奥に重い調理物を片寄せて載せたときの状態を示す側面透視図である。
【図８】図７の状態からドアを閉め始めたときの状態を示す側面透視図である。
【図９】図８の状態からドアを閉めたときの状態を示す側面透視図である。
【符号の説明】
Ａ　オーブントースター、１　ケース、２　ドア、３　加熱室、７　焼網、７ａ　焼網の枠部、７ｂ　網目部、７ｃ　系止部（Ｌ形）、８　カム状長孔、９　支持棒、１０　コイルバネ、２０ａ、２０ｂ　突片、２１ａ、２１ｂ　切り込み孔、２２ａ、２２ｂ　挿抜口、２３ａ、２３ｂ　第１フック部、２４ａ、２４ｂ第２フック部。
【図１】
2004053099.tif 000003
【図２】
2004053099.tif 000004
【図３】
2004053099.tif 000005
【図４】
2004053099.tif 000006
【図５】
2004053099.tif 000007
【図６】
2004053099.tif 000008
【図７】
2004053099.tif 000009
【図８】
2004053099.tif 000010
【図９】
2004053099.tif 000011